(57)【要約】【課題】十分な止水面深さを得られ、コンパクトにできる。【解決手段】出入口１床面に形成された収納ピット２に倒伏姿勢で収容された防水扉３と、収容室ピット２に設置された扉起伏開閉装置６とを具備し、扉起伏開閉装置６により防水扉３を収容ピット２から起立させて出入口１を開閉可能な防水扉装置であって、前記防水扉３を、扉起伏開閉装置６により収納ピット２に収納される倒伏姿勢と出入口を閉鎖する起立姿勢との間で起伏される扉本体３ａと、扉本体３ａから遊端側に出退自在に設けられたスライド扉３ｂとで構成した。【選択図】        図６
2005139687.tif 000002
【特許請求の範囲】
【請求項１】
出入口の床面に形成された収納室に倒伏姿勢で収容された防水扉と、前記収容室に設置された扉起伏開閉装置とを具備し、扉起伏開閉装置により防水扉を収容室から起立させて出入口を開閉可能な防水扉装置であって、
前記防水扉を、扉起伏開閉装置により倒伏姿勢と出入口を閉鎖する起立姿勢との間で起伏される扉本体と、該扉本体から遊端側に出退自在に設けられたスライド扉とで構成した
ことを特徴とする起伏式防水扉装置。
【請求項２】
防水扉は、出入口の下方に扉本体の固定端部が扉支持部材を介して上下回動自在に支持され、
扉起伏開閉装置に、収納室内に回動自在に支持されて作動端が扉本体の背面に当接可能な起伏レバー、および前記起伏レバーを起立方向に回動付勢する起立用コイルばねからなる開動付勢装置と、防水扉を倒伏姿勢で固定する扉ロック装置装置と、防水扉を起立姿勢でロック可能なバックアップ装置とを設けた
ことを特徴とする請求項１記載の起伏式防水扉装置。
【請求項３】
防水扉は、出入口の下方に扉本体の基端部が扉支持部を介して上下回動自在に支持され、
扉起伏開閉装置は、収納室内に設置されて作動端が扉本体の背面に連結された起伏用シリンダ装置と、収納室内と扉本体の間で折畳み自在に連結され防水扉が起立された時に直線状に伸びて防水扉を出入口側に押付け固定可能なバックアップバーを有する扉バックアップ装置とを具備し、前記起伏用シリンダ装置を水道水圧で駆動される水道圧シリンダにより構成した
ことを特徴とする請求項１記載の起伏式防水扉装置。
【請求項４】
扉本体の背面に、遊端側から固定端側に扉本体から離間する方向に傾斜する傾斜部を有するガイド孔を設けるとともに、収納室に出入口離間側から接近側にかけて下方から上方に傾斜するガイド面を有するガイド体を設け、
起伏用シリンダ装置の作動端に、前記ガイド孔にスライド自在に嵌合される連結部材と、前記ガイド面に案内されるスライド材を設け、
前記収納室内に、防水扉が倒伏姿勢時に、基端部が上下回動自在に支持された起伏用シリンダ装置を出入口離間側から接近側に向って設置し、倒伏姿勢から起立させる初期時に、前記連結部材を長孔に沿ってスライドさせて防水扉を起立させるとともに前記スライド部材をガイド面に沿って案内されるように構成した
ことを特徴とする請求項３記載の起伏式防水扉装置。
【発明の詳細な説明】
【技術分野】
【０００１】
本発明は、建物や駐車場、エレベータ装置、地階階段などの出入口に設置される防水扉装置に関するものである。
【背景技術】
【０００２】
従来、床面に形成したピットから防水扉を上下方向に回動して出入口を開閉する起伏式防水扉装置は、例えば、特許文献１に示すように、ピット内に回動起伏自在に支持された防水扉を設け、防水扉の背面とピット内の底面との間に起伏用シリンダ装置を設けたものがある。
【特許文献１】特開平１０−２３８２４０号公報（図１，図２）
【発明の開示】
【発明が解決しようとする課題】
【０００３】
しかし、従来の起伏式防水扉装置では、防水扉の止水面深さを大きくすると、高さを高くしなければならず、これによりピットの前後幅が大きくなり、設備が過大になる。また防水扉を起立駆動するために大きい動力が必要となり、起伏用シリンダ装置をはじめとする開閉駆動機構が大型になるという問題があった。
【０００４】
そこで、本発明は、十分な止水面深さを得ることができるとともに、コンパクトに構成することができる防水扉装置を提供することを目的としたものである。
【課題を解決するための手段】
【０００５】
前述した目的を達成するために、請求項１記載の発明は、出入口の床面に形成された収納室に倒伏姿勢で収容された防水扉と、前記収容室に設置された扉起伏開閉装置とを具備し、扉起伏開閉装置により防水扉を収容室から起立させて出入口を開閉可能な防水扉装置であって、前記防水扉を、扉起伏開閉装置により収納室に収納される倒伏姿勢と出入口を閉鎖する起立姿勢との間で起伏される扉本体と、該扉本体から遊端側に出退自在に設けられたスライド扉とで構成したものである。
【０００６】
請求項２記載の発明は、防水扉は、出入口の下方に扉本体の固定端部が扉支持部材を介して上下回動自在に支持され、扉起伏開閉装置に、収納室内に回動自在に支持されて作動端が扉本体の背面に当接可能な起伏レバー、および前記起伏レバーを起立方向に回動付勢する起立用コイルばねからなる回動付勢装置と、防水扉を倒伏姿勢で固定する扉ロック装置装置と、防水扉を起立姿勢でロック可能なバックアップ装置とを設けたものである。
【０００７】
請求項３記載の発明は、防水扉は、出入口の下方に扉本体の基端部が扉支持部を介して上下回動自在に支持され、扉起伏開閉装置は、収納室内に設置されて作動端が扉本体の背面に連結された起伏用シリンダ装置と、収納室内と扉本体の間で折畳み自在に連結され防水扉が起立された時に直線状に伸びて防水扉を出入口側に押付け固定可能なバックアップバーを有する扉バックアップ装置とを具備し、前記起伏用シリンダ装置を水道水圧で駆動される水道圧シリンダにより構成したものである。
【０００８】
請求項４記載の発明は、扉本体の背面に、遊端側から固定端側に扉本体から離間する方向に傾斜する傾斜部を有するガイド孔を設けるとともに、収納室に出入口離間側から接近側にかけて下方から上方に傾斜するガイド面を有するガイド体を設け、起伏用シリンダ装置の作動端に、前記ガイド孔にスライド自在に嵌合される連結部材と、前記ガイド面に案内されるスライド材を設け、前記収納室内に、防水扉が倒伏姿勢時に、基端部が上下回動自在に支持された起伏用シリンダ装置を出入口離間側から接近側に向って設置し、倒伏姿勢から起立させる初期時に、前記連結部材を長孔に沿ってスライドさせて防水扉を起立させるとともに前記スライド部材をガイド面に沿って案内されるように構成したものである。
【発明の効果】
【０００９】
請求項１記載の発明によれば、止水面となる防水扉に、遊端側に出退自在なスライド扉を設けたので、止水面の水深を大きくすることができるとともに、収納室の面積を小さくできて、コンパクト化を図ることができる。また起立姿勢でスライド扉を出退することで、倒伏姿勢から起立させるための回転トルクを小さくすることができ、扉起伏開閉装置の動力の削減と設備コストの削減に寄与することができる。
【００１０】
請求項２記載の発明によれば、回動付勢装置を設けたので、起立用コイルバネにより起伏レバーを介して防水扉を起伏開閉する回動付勢装置を設けたので、駆動源を不要として、簡易かつコンパクトに構成することができ、ランニングコストや設備コストの削減を図ることができる。またバックアップ装置により防水扉を出入口側に押付けて止水性能を高めかつ耐水圧性能を高めることができる。
【００１１】
請求項３記載の発明によれば、起伏用シリンダ装置により防水扉をスムースに開閉することができる。またバックアップ装置により防水扉を出入口側に押付けて止水性能を高めかつ耐水圧性能を高めることができる。さらに水道水圧を利用して起伏用シリンダ装置を駆動し防水扉を開閉するので、非常時にも開閉可能となる。
【００１２】
請求項４記載の発明によれば、倒伏姿勢の防水扉と起伏用シリンダ装置のなす角が、直線に近い鈍角状であっても、防水扉の回動初期に、ガイド体によりスライド部材を介して起立用シリンダ装置の作動端を上方に変位させて傾動させ、これにより防水扉を起立方向に回動させるとともに、連結部材を長孔に沿ってスライドさせることで回動を促進させることができ、防水扉を倒伏姿勢からスムーズに回動して起立させることができる。
【発明を実施するための最良の形態】
【００１３】
以下、本発明の実施の形態を図面に基づいて説明する。
［実施の形態１］
図１〜図８に示す起伏式防水扉装置は、出入口１から後方（出入口離間側）の床面に、平面視が矩形状の収納ピット（収納室）２が形成され、この収納ピット２内に回動起立して出入口１を閉鎖可能な防水扉３が水平な倒伏姿勢で収納配置されている。前記出入口１の両側で前コーナ部には、収納ピット２から立設された支柱体４が配置され、収納ピット２の上面外周部に、支柱体４の間および両側に配置されたフロントプレート５ａと、左右両側辺に配置されたサイドプレート５ｂと、出入口１の外方のリアプレート５ｃからなる周辺カバープレート５ａ〜５ｃが設置され、これら周辺カバープレート５ａ〜５ｃに囲まれた空間に防水扉３が倒伏姿勢で収容されその表面が踏み床として兼用されている。
【００１４】
この収納ピット２には、防水扉３を開閉して固定可能な扉起伏開閉装置６が設けられており、この扉起伏開閉装置６は、防水扉３を開閉駆動する複数のレバー式回動付勢装置（起伏駆動装置）７と、防水扉３を起立させて出入口１を閉鎖した状態で防水扉３を水密ゴム１９を介して支柱体４に押付けるとともにロックしかつロック解除可能な扉バックアツプ装置８と、収納ピット２内で防水扉３を倒伏姿勢で固定する扉ロック装置９とで構成されている。
【００１５】
前記防水扉３は伸縮自在な二段構造で、基端側の扉本体３ａと、扉本体３ａ内に上方に伸縮自在に内装されたスライド扉３ｂとで構成されている。この防水扉３は、出入口１の下方に扉本体３ａの基端部が複数の扉支持部１０を介して上下回動自在に支持されている。この扉支持部１０は、図８に示すように、収納ピット２の前壁部に幅方向に所定間隔をあけて取り付けられた扉支持ヒンジ１１と、この扉支持ヒンジ１１に第１水平ピン１２を介して回動自在に支持されたＬ字形の支点アーム１３と、支点アーム１３の遊端部と扉本体３ａの基端側とを回動自在に連結する第２水平ピン１４とで構成され、第２水平ピン１４は扉本体３ａの基端から距離Ｌだけ先端側に位置ずれされている。さらにＬ字形の支点アーム１３は、短尺の基端アーム部１３ａと長尺の先端アーム部１３ｂからなり、扉本体３ａの第２水平ピン１４を中心として、先端アーム部１３ｂと直線状のなる位置から図４の反時計周りの回動が、規制部３ｃにより規制されている。また収納ピット２の前部には、支点アーム１３が第１水平ピン１２を中心として所定角度で下方に周り止めする規制部材１８が設けられている。
【００１６】
前記扉起伏開閉装置６のレバー式扉回動付勢装置７は、図６（ａ）に示すように、幅方向に所定間隔をあけて収納ピット２の底部に開閉用ヒンジ１５が固定され、この開閉用ヒンジ１５に起伏レバー１６がその受動端寄りを幅方向の水平ピンを介して回動自在に支持されている。この起伏レバー１６は、その作動端に扉本体３ａの背面に摺動可能に当接する加圧部１６ａが突設されている。また起伏レバー１６の受動端と収納ピット２の後壁部との間に起立用コイルばね１７が連結固定されて構成されている。したがって、起立用コイルばね１７により、起伏レバー１６を起立方向に回動付勢して防水扉３を起立させることができる。
前記扉バックアップ装置８は、収納ピット２の複数箇所、たとえば両側と中央部に、前後方向に沿って配置されて上部バー２１ａと下部バー２１ｂが水平軸心周りに折畳み自在に連結されたバックアップバー２１と、下部バー２１ｂを回動する作動・解除装置２２とで構成されている。前記バックアップバー２１は、下部バー２１ｂが収納ピット２の後方の底部ヒンジ２１ｃに回動自在に連結されるとともに、上部バー２１ａが扉本体３ａの背面ヒンジ２１ｂに回動自在に連結され、図示しないストッパにより図６（ａ）に示す直線状態から右上方側への折れ曲りが規制されている。また底部ヒンジ２１ａでは、回動ピンが下部バー２１ｂに固定されており、前記作動・解除装置２２は、底部ヒンジ２１ａの回動ピンに固定された作動レバー２２ａと、作動端が作動レバー２２ａの遊端部に連結されて回動ピンを介して下部バー２１ｂを回動可能な流体圧式の作動・解除シリンダ２２ｂとで構成されている。この作動・解除シリンダ２２ｂは、伸縮駆動用の電動アクチュエータでもよいが、ここでは停電時にも使用可能な水道水圧シリンダが採用されている。したがって、防水扉３が略起立状態としてスライド扉３ｂを引き上げた後に、前記作動・解除シリンダ２２ｂを進展させることで、作動レバー２２ａを介して幾分折れ曲り状態のバックアップバー２１を直線状に回動し突っ張らせて防水扉３を支柱体４および幅方向フレーム２ａに押付け水密ゴム１９を圧縮させて止水すると同時に、この状態で防水扉３を固定して、前方から防水扉３に付加される水圧を効果的に支持することができる。また防水扉３の固定状態から開放する時に、作動・解除シリンダ２２ｂを収縮させて作動レバー２２ａを介してバックアップバー２１を折り曲げ防水扉３の固定を解除させることができる。
【００１７】
前記扉ロック装置９は、図７に示すように、スイングロック式で、リアプレート５ｃ内に回動部材９ａを介して防水扉３側に出退自在な係止アーム９ｂが設けられており、回動具により係止アーム９ｂを防水扉３側に突出させて、起立用コイルばね１７に起立付勢された倒伏姿勢の防水扉３をロックすることができる。
【００１８】
前記防水扉３には、図６（ｂ）に示すように、扉本体３ａに先端面が開放された格納部３ｃが形成されてスライド扉３ｂが出退自在に収納され、スライド扉３ｂの背面複数箇所に取りつけられた摺動ブロック３ｄを介して出退される。またスライド扉３ｂの背面中央下部にストッパ３ｅが突設されており、扉本体３ａの背面で上下位置に幅方向のガイド孔３ｆにスライド自在に装着されたストッパ受３ｇがストッパ３ｅに嵌合されてスライド扉３ｂを下限位置と上限位置にそれぞれ係止するように構成されている。
【００１９】
上記構成において、洪水や高潮警報が発令されて防水扉装置により出入口１が閉鎖される時には、まず扉ロック装置９を解除すると、これにより起立用コイルばね１７の作用を利用して、起伏レバー１６を介して防水扉３を上方にゆっくりと回動させ起立させる。ここで、まず防水扉３が第２水平ピン１４を中心に上方に回動され、防水扉３が支点アーム１３の遊端アーム部１３ｂと直線状となって回動が規制されると、防水扉３が支点アーム１３と共に第１水平ピン１２を中心に上方に回動される。
【００２０】
なお、起立用コイルばね１７のばね力が弱い場合には、手動により起立を補助する。この時扉バックアップ装置８は、作動・解除シリンダ２２ｂがフリー状態で、バックアップバー２１が折畳まれた状態から回動される。
【００２１】
防水扉３がほぼ起立状態となると、手動で扉本体３ａからスライド扉３ｂを引き上げて、上限位置で固定する。さらに扉バックアップ装置８の作動・解除シリンダ２２ｂを進展させることで、バックアップバー２１を直線状に突っ張らせることで防水扉３をさらに前方に回動させ、支柱体４に水密ゴム１９を介して押付けて止水し防水扉３を固定する。これにより防水扉３により出入口１が閉鎖される。
【００２２】
警報が解除されて、出入口１を開放させる時には、扉バックアップ装置８の作動・解除シリンダ２２ｂを収縮してバックアップバー２１を少し折り曲げ、さらに手動によりスライド扉３ｂを扉本体３ａ内に押し込んで収納する。ついで、防水扉３の自重を利用して手動により、起立用コイルばね１７のばね力に抗して防水扉３を下方に倒伏させ収納ピット２に収納して、扉ロック装置９を作用させて防水扉を固定する。
【００２３】
上記実施の形態１によれば、起伏されて開閉される防水扉３を、扉本体３ａとスライド扉３ｂとで構成して、収納ピット２に収納される倒伏姿勢で、扉本体３ａ内にスライド扉３ｂを収納することで、収納ピット２の大きさを半減するとともに、起立させて出入口１を閉鎖した時には、防水扉３による止水深さを大きくとることができる。また回動起立時には、スライド扉３ｂが扉本体３ａ内に後退されるので、防水扉３の回転トルクを大幅に削減することができる。
【００２４】
また扉起伏開閉装置６を、起立用コイルばね１７により起伏レバー１６を介して防水扉３を起立方向に回動付勢する回動付勢装置７により構成したので、開閉時に電源装置や流体圧発生装置などの駆動源やその配線配管装置が不要となり、ランニングコストや設備コストを低減することができる。
【００２５】
バックアップバー２１を有する扉バックアップ装置８により、簡単な構造で防水扉３を支柱体４に押付けて水密性を向上させ、さらに耐水圧性能を高めて、大きい水深の水圧に対応することができる。
【００２６】
［実施の形態２］
実施の形態２を図９〜図１４に基いて説明する。なお、実施の形態１と同一部材には同一符号を付して説明を省略する。
【００２７】
この実施の形態２では、実施の形態１の回動付勢装置７に替えて、起伏用シリンダ装置３１を設け、扉ロック装置９を削除したものである。
すなわち、扉起伏開閉装置３０は、防水扉３を開閉駆動する複数の起伏駆動装置３１と、防水扉３を起立させて出入口１を閉鎖した状態で防水扉３を支柱体４に押付けるとともにロックしかつロック解除可能な扉バックアツプ装置８とで構成されている。
【００２８】
前記起伏用シリンダ装置３１は、シリンダ本体３１ａの基端側が収納ピット２の底部で出入口１寄りに上下回動自在に支持され、作用端であるピストンロッド３１ｂが扉本体３ａの背面にピン連結されている。そして、防水扉３が倒伏姿勢では、起伏用シリンダ装置３１が水平姿勢から後方上方に所定角度以上で傾斜した状態で収納ピット２内に収容されている。この起伏用シリンダ装置３１の傾斜角度は、たとえば２０°前後以上に設定され、起伏用シリンダ装置３１の進展駆動力を、効果的に防水扉３の回動に変換して、第２水平ピン１４を中心に容易に回動可能に構成されている。また起伏用シリンダ装置３１は、たとえば水道水圧で駆動される水道圧シリンダが採用され、図示しないが、起動停止バルブを介して水道配管が接続されている。
【００２９】
したがって、防水扉装置により出入口１を閉鎖する時には、起動停止バルブが操作されて起伏用シリンダ装置３１が進展され、まず防水扉３が第２水平ピン１４を中心に上方に回動され、防水扉３が遊端アーム部１３ｂと直線状となって回動が規制されると、防水扉３が支点アーム１３と共に第１水平ピン１２を中心に上方に回動されて起立される。
【００３０】
防水扉３がほぼ起立状態となると、手動で扉本体３ａからスライド扉３ｂを引き上げて上限位置で固定する。さらに起伏用シリンダ装置３１を進展させて防水扉３をさらに前方に回動させ、支柱体４に水密ゴム１９を介して押付けて止水する。この時、バックアップバー２１が直線状に回動され、この扉バックアップ装置８により防水扉３が固定され、防水扉３により出入口１が閉鎖される。
【００３１】
警報が解除されて、出入口１を開放させる時には、扉バックアップ装置８を解除した後に、起伏用シリンダ装置３１を僅かに収縮させて防水扉３の加圧状態を解除した後、スライド扉３ｂを扉本体３ｂ内に後退させて収納し、さらに起伏用シリンダ装置３１を僅かに収縮して防水扉３を収納ピット２に収納すればよい。
【００３２】
上記実施の形態２によれば、起伏式の防水扉３を、扉本体３ａとスライド扉３ｂとで構成して、収納ピット２に収納される倒伏姿勢で、扉本体３ａ内にスライド扉３ｂを収納することで、収納ピット２の大きさを半減するとともに、起立閉鎖時に、扉本体３ａをスライド扉３ｂから突出させることにより、出入口１の止水水深を大きくとることができる。また起立時に、扉本体３ａ内にスライド扉３ｂを収納することで、防水扉３の回転トルクを削減することができる。
【００３３】
また、扉支持部１０の支点アーム１２を介して防水扉３を起伏自在に支持させ、回動前半部分は、規制部材１８に下方への回動を規制された支点アーム１３の第２水平ピン１４を中心に防水扉３を上方に回動するように構成することで、起立用シリンダ装置３１と防水扉３の成す角度をできるだけ大きくなるように設定することで、回動起立初期の起立用シリンダ装置３１の駆動力を効果的に防水扉３に伝達して回動できるので、駆動力の小さい水道圧シリンダで起伏用シリンダ装置３１を構成しても、防水扉３を容易に起立させることができる。
【００３４】
バックアップバー２１を有する扉バックアップ装置８により、簡単な構造で防水扉３を支柱体４に押付けて水密性を向上させ、さらに耐水圧性能を高めて、大きい水深の水圧に対応することができる。
【００３５】
［実施の形態３］
実施の形態３を図１５〜図２１に基いて説明する。なお、実施の形態１，２と同一部材には同一符号を付して説明を省略する。
【００３６】
この実施の形態３における扉起伏開閉装置４０は、防水扉３を開閉駆動する複数の起立用シリンダ装置４１と、防水扉３を起立させて出入口１を閉鎖した状態で防水扉３を支柱体４に押付けるとともにロックしかつロック解除可能な扉バックアツプ装置８とで構成されている。
【００３７】
前記起立用シリンダ装置４１は、収納ピット２内に後方から出入口１側に向って配置されている。すなわち、収納ピット２内には、左右両側に所定間隔をあけて複数本の起伏用シリンダ装置（たとえば水道圧シリンダ）４１が配置され、各シリンダ本体４１ａが収納ピット２の後方部に上下回動自在に支持され、作用端であるピストンロッド４１ｂの先端が扉本体３ａの背面にピン連結されている。このように倒伏姿勢の防水扉３の固定端と離れた位置に起立用シリンダ装置４１の支持部が配置された場合、防水扉３が起立初期に大きいトルクが必要となるため、防水扉３の背面にガイド孔４３を有する連結部材４２を設けるとともに、収納ピット２にガイド体４４を設け、ピストンロッド４１ｂの先端部（作動端）にガイド孔４３にスライド自在に嵌合する連結ローラ（連結部材）４５と、ガイド体４４のガイド面４４ａに案内される起動ローラ（スライド部材）４６とが設けられている。
【００３８】
前記連結部材４２は左右一対の板状で、各起伏用シリンダ装置４１に対応して扉本体３ａの背面に突設されており、左右の連結ローラ４５がそれぞれスライド自在に嵌合されるガイド孔４３は、図  に示すように、倒伏姿勢で、遊端側から防水扉３の前面に平行な倒伏端４３ａと、倒伏端４３ａから漸次固定端側下方に傾斜する初期起立部４３ｂと、初期起立部４３ｂから平行部４３ｃを介して漸次固定端側上方に傾斜する安定作動部４３ｄと、安定作動部４３ｄの出入口１側端の起立受動端部４３ｅとで構成されている。
【００３９】
また各起伏用シリンダ装置４１に対応して配置されたガイド体４４は、ピストンロッド４１ｂの収縮限の起動ローラ４６の当接位置から出入口１側に所定範囲で、出入口１側ほど上位となるように一定角度（図では略３５度前後）で傾斜されたガイド面４４ａが形成されている。
【００４０】
したがって、倒伏姿勢の防水扉３を回動させる時には、起伏用シリンダ４１が進展されると同時に、起動ローラ４６がガイド面４４ａに案内されて上方に転動されることで、起伏用シリンダ装置４１がシリンダ本体４１ａの支持部を中心に上方に傾動されるとともに、防水扉３が第２水平ピン１４を中心に上方に回動される。さらに連結ローラ４５が倒伏端４３ａから初期起立部４３ｂに移動することで、起立動作を早めて回動を促進させる。これにより、回動起立初期の防水扉３の動作をより効率良く行え、倒伏姿勢の防水扉３と起伏用シリンダ装置４１の成す角度が直線（１８０°）やそれに接近するような鈍角であっても、防水扉３をスムーズに起立させることができる。
【００４１】
上記実施の形態３によれば、起伏式の防水扉３を、扉本体３ａとスライド扉３ｂとで構成して、収納ピット２に収納される倒伏姿勢で、扉本体３ａ内にスライド扉３ｂを収納することで、収納ピット２の大きさを半減するとともに、起立閉鎖時に、扉本体３ａをスライド扉３ｂから突出させることにより、出入口１の止水水深を大きくとることができる。また起立時に、扉本体３ａ内にスライド扉３ｂを収納することで、防水扉３の回転トルクを削減することができる。
【００４２】
また、扉支持部１０の支点アーム１２を介して防水扉３を起伏自在に支持させ、起伏用シリンダ装置４１のピストンロッド先端部に、進展初期時にガイド体４６のガイド面４６ａに案内されて起伏用シリンダ装置４１を回動方向に傾動させる起動ローラ４６を設けるとともに、ガイド孔４３の倒伏端４３ａから傾斜された初期起立部４３ｂに移動されて、起立動作を促進させる連結ローラ４５を設けたので、起伏姿勢の防水扉３と起伏用シリンダ装置３１とが直線に近い鈍角な状態であったとしても、防水扉３をスムーズに回動起立させることができる。
【００４３】
バックアップバー２１を有する扉バックアップ装置８により、簡単な構造で防水扉３を支柱体４に押付けて水密性を向上させ、さらに耐水圧性能を高めて、大きい水深の水圧に対応することができる。
［実施の形態４］
実施の形態４を図２２および図２３に基いて説明する。なお、実施の形態３と同一の部材には同一符号を付して説明を省略する。
【００４４】
実施の形態４は、実施の形態３の出入口１の径間を小さくして小型化するとともに、スライド扉３ｂを自動的に出退するように構成したもので、前記扉バックアップ装置８は削除されている。
【００４５】
すなわち、扉本体３ａの背面両側に、スライド扉３ｂを出退駆動可能な扉拡縮用シリンダ装置５１が設けられている。これにより、スライド扉３ｂの出退を扉拡縮用シリンダ装置５１により行うことができる。
【００４６】
上記実施の形態４によれば、実施の形態３と同様の作用効果を奏すことができるとともに、扉本体３ａに設けられた扉拡縮用シリンダ装置５１により、スライド扉の引上げによる防水扉３の拡大と、引き下ろしによる防水扉３の縮小を自動的に行うことができ、開閉作業による労力を削減することができる。
【図面の簡単な説明】
【００４７】
【図１】本発明の実施の形態１における防水扉装置の開放状態を示す側面断面図である。
【図２】同防水扉装置の開放状態を示す正面部分断面図である。
【図３】同防水扉装置の開放状態を示す一部切欠き平面図である。
【図４】同防水扉装置の開放動作途中を示す側面断面図である。
【図５】同防水扉装置の閉鎖手前状態を示す側面断面図である。
【図６】同（ａ）は防水扉装置の閉鎖状態を示す側面断面図、（ｂ）はスライド扉を説明する概略平面図、（ｃ）は（ｂ）のストッパを示す背面図である。
【図７】（ａ），（ｂ）はそれぞれ同防水扉装置の扉ロック装置を示し、（ａ）は平面図、（ｂ）は側面断面図である。
【図８】（ａ），（ｂ）はそれぞれ同防水扉装置の扉支持部を示し、（ａ）は開放状態の側面図、（ｂ）は閉鎖状態の側面図である。
【図９】本発明の実施の形態２における防水扉装置の開放状態を示す側面断面図である。
【図１０】同防水扉装置の開放状態を示す正面部分断面図である。
【図１１】同防水扉装置の開放状態を示す一部切欠き平面図である。
【図１２】同防水扉装置の開放動作途中を示す側面断面図である。
【図１３】同防水扉装置の閉鎖手前状態を示す側面断面図である。
【図１４】同防水扉装置の閉鎖状態を示す側面断面図である。
【図１５】本発明の実施の形態３における防水扉装置の開放状態を示す側面断面図である。
【図１６】同防水扉装置の開放状態を示す一部切欠き平面図である。
【図１７】同防水扉装置の開放状態を示す正面部分断面図である。
【図１８】同防水扉装置の開放動作途中を示す側面断面図である。
【図１９】同防水扉装置の閉鎖手前状態を示す側面断面図である。
【図２０】同防水扉装置の閉鎖状態を示す側面断面図である。
【図２１】（ａ），（ｂ）はそれぞれ同防水扉装置の扉起伏開閉装置を示し、（ａ）は側面図、（ｂ）は（ａ）に示すＡ−Ａ断面図である。
【図２２】本発明の実施の形態４における防水扉装置の開放状態を示す側面断面図である。
【図２３】同防水扉装置の閉鎖状態を示す側面断面図である。
【符号の説明】
【００４８】
１    出入口
２    収納ピット
３    防水扉
３ａ  扉本体
３ｂ  スライド扉
４    支柱体
６    扉起伏開閉装置
７    回動付勢装置
８    扉バックアップ装置
９    扉ロック装置
１０    扉支持部
１２    第１水平ピン
１３    支点アーム
１３ａ  基端アーム部
１３ｂ  遊端アーム部
１４    第２水平ピン
１６    起伏レバー
１７    起立用コイルばね
１９    水密ゴム
２１    バックアップバー
２２    作動・解除装置
２２ｂ  作動・解除シリンダ
３０    扉起伏開閉装置
３１    起伏用シリンダ装置
４０    扉起伏開閉装置
４１    起伏用シリンダ装置
４２    連結部材
４３    ガイド孔
４３ｂ  初期起立部
４４    ガイド体
４５    連結ローラ
４６    起動ローラ
５１    扉拡縮用シリンダ装置
【図１】
2005139687.tif 000003
【図２】
2005139687.tif 000004
【図３】
2005139687.tif 000005
【図４】
2005139687.tif 000006
【図５】
2005139687.tif 000007
【図６】
2005139687.tif 000008
【図７】
2005139687.tif 000009
【図８】
2005139687.tif 000010
【図９】
2005139687.tif 000011
【図１０】
2005139687.tif 000012
【図１１】
2005139687.tif 000013
【図１２】
2005139687.tif 000014
【図１３】
2005139687.tif 000015
【図１４】
2005139687.tif 000016
【図１５】
2005139687.tif 000017
【図１６】
2005139687.tif 000018
【図１７】
2005139687.tif 000019
【図１８】
2005139687.tif 000020
【図１９】
2005139687.tif 000021
【図２０】
2005139687.tif 000022
【図２１】
2005139687.tif 000023
【図２２】
2005139687.tif 000024
【図２３】
2005139687.tif 000025